(57)【要約】【課題】新しい無線電話機への機種変更や、現在の無線電話機から新しい無線電話機へ情報を移動する処理を改善する。【解決手段】発明は、電子機器を通信ネットワークに登録するのに使用する情報を格納する取り外し可能な加入者証明モジュール（ＳＩＭ）カードが電子機器にないときに、データが電子機器から／へ伝送されるのを許可出来る。加入者は、したがって、２つのＳＩＭカードを必要とせずに、現存の無線電話機から新しい無線電話機へ機種変更し、両方の無線電話機はデータを伝送するように動作する。たとえば、本発明の実施例によれば、加入者は、たとえ無線電話機の１つにＳＩＭカードがなくても、現存の無線電話機から新しい電話機へデータを伝送することが出来る。
2007507129.tif 000002
【特許請求の範囲】
【請求項１】
無線通信ネットワークに電子機器を登録するのに使用する情報が格納された取り外し可能な加入者証明モジュール（ＳＩＭ）が電子機器にないときに、電子機器に格納されたデータを伝送する工程を備える電子機器から／へデータを伝送する方法。
【請求項２】
前記ＳＩＭが前記電子機器にないことを判断する工程と、
前記ＳＩＭが前記電子機器にない間に、伝送モードがデータの伝送の許可を有効とされるかを判断する工程をさらに備える請求項１に記載の方法。
【請求項３】
前記伝送モードが有効とされるときはデータを伝送し、伝送モードが無効とされるときはデータの伝送を阻止する工程をさらに備える請求項２に記載の方法。
【請求項４】
前記伝送モードが有効とされるかを判断する工程は、
前記電子機器への入力を要求する工程と、
前記電子機器に関連した入力機器を介して前記電子機器への入力を受信する工程と、
前記受信した入力が伝送モードを有効とするかを判断する工程をさらに備える請求項２に記載の方法。
【請求項５】
前記伝送する工程は、
前記電子機器を前記通信ネットワークに登録するのに使用する第２通信チャンネルとは別の第１通信チャンネルを使用して前記データを伝送する工程を備える請求項１に記載の方法。
【請求項６】
前記第１通信チャンネルは、
赤外線通信リンク、ブルートウース通信リンク、USBインターフェース、およびIEEE 802.11通信リンクの、少なくとも何れか１つを介して引き継がれる請求項５に記載の方法。
【請求項７】
前記電子機器は、
前記通信ネットワークに適合したグローバル・システム・フォー・モバイル・コミュニケーションズ（ＧＳＭ）に登録するように構成された移動体セルラ電話機を備える請求項１に記載の方法。
【請求項８】
前記電子機器は第１電子機器を備え、
前記方法は、前記第１電子機器において前記ＳＩＭがないことを判断する工程と、
前記ＳＩＭがない間に、前記第１電子機器がデータの伝送を第２電子機器から／へ伝送を許可する伝送モードが有効とされるかを判断する工程と、
前記伝送モードが前記第１電子機器に有効とされる判断の工程に応答して、前記第１電子機器からデータを伝送する、または第２電子機器からのデータを受信する工程をさらに備える請求項１に記載の方法。
【請求項９】
データを伝送している間は、前記第２電子機器を前記通信ネットワークに登録するのに使用する情報を格納する第２ＳＩＭは、第２通信機器にない請求項８に記載の方法。
【請求項１０】
前記電子機器を前記通信ネットワークに登録するのに使用する情報以外の情報を格納するＳＩＭが前記電子機器にあるときに、前記データを伝送する工程をさらに備える請求項１に記載の方法。
【請求項１１】
前記データは、
前記電子機器の不揮発性メモリに格納されたデータを備える請求項１に記載の方法。
【請求項１２】
前記データは、
接続情報、スケジュール情報、すべきこと情報、電子メール情報、Ｗｅｂ情報、画像情報、音声情報、および映像情報の少なくとも何れか１つを備える請求項１１に記載の方法。
【請求項１３】
前記データは、
前記ＳＩＭの使われていない格納容量を越えるサイズを有する余分のデータを備える請求項１１に記載の方法。
【請求項１４】
前記電子機器は、単一の移動体セルラ無線電話機を備える請求項１に記載の方法。
【請求項１５】
無線通信ネットワークに電子機器を登録するのに使用する情報が格納された、取り外し可能な加入者証明モジュール（ＳＩＭ）が電子機器にないときに、電子機器に格納されたデータの伝送を許可するように構成されたプロセッサ回路を備える、データを伝送するための電子機器。
【請求項１６】
前記プロセッサ回路は、前記ＳＩＭが前記電子機器にあるかないかを判断するように構成され、
前記電子機器は、
前記ＳＩＭがあると判断する前記プロセッサ回路に応答して前記電子機器を前記通信ネットワークに登録するように構成された登録回路と、
前記ＳＩＭがない、および伝送モードが前記ＳＩＭがない間にデータの伝送の許可を有効とすると判断する前記プロセッサ回路に応答して、データを前記電子機器から／へ伝送するように構成されたデータ伝送回路と、をさらに備える請求項１５に記載の電子機器。
【請求項１７】
前記プロセッサ回路は、
前記ＳＩＭがなく、伝送モードが有効とされているとき、データの伝送を許可するように構成され、前記伝送モードが無効とされるとき、データの伝送を阻止するようさらに構成されている請求項１６に記載の電子機器。
【請求項１８】
前記プロセッサ回路は、
入力を要求し、
電子機器に関連した入力機器を介して入力を受信し、
前記受信した入力が伝送モードを有効とするかを判断するように構成された請求項１６に記載の電子機器。
【請求項１９】
前記データ伝送回路は、第１通信チャンネルを使用して前記データを伝送するように構成され、
前記登録回路は、前記第１通信チャンネルとは別の第２通信チャンネルを使用して前記電子機器を前記通信ネットワークに登録するように構成された請求項１６に記載の電子機器。
【請求項２０】
前記第１通信チャンネルは、赤外線通信リンク、ブルートウース通信リンク、USBインターフェース、およびIEEE 802.11通信リンクの、少なくとも何れか１つを介して引き継がれる請求項１９に記載の電子機器。
【請求項２１】
前記電子機器は、前記通信ネットワークに適合したグローバル・システム・フォー・モバイル・コミュニケーションズ（ＧＳＭ）に登録するように構成された移動体セルラ電話機を備える請求項１５に記載の電子機器。
【請求項２２】
前記電子機器は第１電子機器を備え、
前記プロセッサ回路は、
前記第１電子機器において前記ＳＩＭがないことを判断し、
前記ＳＩＭがない間に、前記第１電子機器がデータの伝送を第２電子機器から／への伝送を許可する伝送モードが有効かを判断し、
前記伝送モードが前記第１電子機器で有効であるとした判断の工程に応答して、前記第１電子機器からデータを伝送する、または第２電子機器からのデータを受信する、ようにさらに構成された請求項１５に記載の電子機器。
【請求項２３】
前記第２電子機器を前記通信ネットワークに登録するのに使用する情報を格納する第２ＳＩＭは、前記第２通信機器にない請求項２２に記載の電子機器。
【請求項２４】
前記プロセッサ回路は、前記電子機器を前記通信ネットワークに登録するのに用いられる情報以外の情報を格納するＳＩＭが前記電子機器にあるときに、前記データの伝送を許可するようにさらに構成された請求項１５に記載の電子機器。
【請求項２５】
前記データを前記ＳＩＭ以外に格納する不揮発性メモリをさらに備える請求項１５に記載の電子機器。
【請求項２６】
前記余分のデータは、
接続情報、スケジュール情報、すべきこと情報、電子メール情報、Ｗｅｂ情報、画像情報、音声情報、および映像情報の少なくとも何れか１つを備える請求項２５に記載の電子機器。
【請求項２７】
前記余分のデータは、
前記ＳＩＭの使われていない格納容量を越えるサイズを有する余分のデータを備える請求項２５に記載の電子機器。
【請求項２８】
前記電子機器は、単一の移動体セルラ無線電話機を備える請求項１５に記載の電子機器。
【請求項２９】
無線通信ネットワークに電子機器を登録するために使用される情報が格納された、取り外し可能な加入者証明モジュール（ＳＩＭ）が電子機器にないときに、電子機器のメモリからのユーザが選択可能なデータの出力の伝送を許可するように構成されたプロセッサ回路を備えるデータを伝送する電子機器。
【請求項３０】
前記ユーザが選択可能なデータは、前記電子機器に結合されたヘッドフォンに伝送された音声情報、またはユーザに選択され、前記電子機器の表示部に伝送された映像または画像データの何れか１つを備える請求項２９に記載の電子機器。
【請求項３１】
そこに備えられるコンピュータ可読プログラムコードを有する、コンピュータ可読記録媒体を備え、
前記コンピュータ可読プログラムコードは、
無線通信ネットワークに電子機器を登録するために使用される情報が格納された、取り外し可能な加入者証明モジュール（ＳＩＭ）が電子機器にないときに、電子機器から／へデータを伝送するように構成されたコンピュータ可読プログラムコードを備える、データを電子機器から／へ伝送するコンピュータプログラム製品。
【発明の詳細な説明】
【技術分野】
【０００１】
本発明は概して電子の分野に関し、特に、電子通信のための方法、電子機器およびコンピュータプログラム製品に関する。
【背景技術】
【０００２】
多くの通信ネットワークで使われる移動体セルラ無線電話機は、取り外し可能な加入者証明モジュール（ＳＩＭ）カードを有する。ＳＩＭカードは、通信ネットワークにより提供されるサービスに対する加入者を証明する情報を格納することが出来る。無線電話機は、通信ネットワークに登録するため、ＳＩＭカードに格納された情報を使うことが出来、それにより、たとえば無線電話機が電源ＯＮとされたときに、サービスが提供される。また、よく知られるように、接続情報等の他の種類の情報も格納される。
【０００３】
無線通信の新しいサービスや製品が導入されるに従い、加入者はより頻繁に機種変更をしたいと希望する。たとえば、新しい型の無線電話機が導入されると、加入者は現存の無線電話機から、新しい無線電話機への”機種変更”を希望する。加入者に、現存の無線電話機からＳＩＭカードを取り外し、新しい無線電話機への挿入を許可することで、機種変更を円滑にすることが可能である。ＳＩＭカードの情報は、したがって、新しい無線電話機に移管され、そのＳＩＭカードを用いて通信システムに登録出来、加入者は、新しい無線電話機を用いて引き続きサービスを受けることが可能となる。
【０００４】
上記に関わらず、新しい無線電話機への機種変更や、現在の無線電話機から新しい無線電話機へ情報を移動する処理を改善する要求がある。
【発明の開示】
【発明が解決しようとする課題】
【０００５】
新しい無線電話機への機種変更や、現在の無線電話機から新しい無線電話機へ情報を移動する処理を改善することを目的とする。
【課題を解決するための手段】
【０００６】
本発明の実施例は、電子機器を無線通信ネットワークに登録するのに使用する情報を格納する取り外し可能な加入者証明モジュール（ＳＩＭ）カードが電子機器にないとき、データが電子機器から／へ伝送されるのを許可することを可能とする。
【０００７】
加入者は、したがって、２つのＳＩＭカードを必要とすることなく現存の無線電話機から新しい無線電話機へ機種交換が出来、両方の無線電話機はデータを伝送するように動作する。たとえば、本発明の実施例によれば、加入者はたとえ、いずれかの無線電話機にＳＩＭカードがなくても、現存の無線電話機から新しい無線電話機にデータを伝送することが出来る。ＳＩＭに格納されていない接続情報のようなデータは、したがって、より簡単に新しい無線電話機に移管される。
【０００８】
本発明における実施例においては、ＳＩＭが電子機器にないかどうかの判断が出来、ＳＩＭが電子機器にないときに、伝送モードがデータの伝送の許可を可能とするかどうかの判断が出来る。本発明における実施例においては、伝送モードが可能とされればデータが伝送され、伝送モードが不可能とされれば、阻止される。
【０００９】
本発明による実施例においては、伝送モードが可能とされれば、判断は、電子機器に関連した入力機器を介して、電子機器への要求入力及び電子機器への受信入力を含むことが出来る。判断は受信した入力が伝送モードを可能とするかどうかについてすることが出来る。
【００１０】
本発明による実施例においては、データは、電子機器を通信ネットワークに登録するのに使用する第２通信チャンネルから分離された第１通信チャンネルを使用して伝送することが出来る。
【００１１】
本発明による実施例においては、第１通信チャンネルは赤外線通信リンク、ブルートウス通信リンク及びＩＥＥＥ８０２．１１通信リンクのすくなくとも、何れか１つで実行することが出来る。
【００１２】
本発明による実施例においては、電子機器は、グローバル・システム・フォー・モバイル・コミュニケーションズ（ＧＳＭ）に登録するように構成された移動体セルラ無線電話機でありうる。本発明による実施例においては、判断は、第１電子機器において、ＳＩＭが無いとすることが出来、判断は、ＳＩＭが無い間に、第２電子機器から／へのデータの伝送を許可する伝送モードを第１電子機器で可能とするかについて出来る。伝送モードを第１電子機器で可能とした事に応じて、データは第１電子機器から伝送出来、又は、第２電子機器から受信できる。
【００１３】
本発明による実施例においては、第２電子機器を通信ネットワークに登録するのに使用する情報を格納する第２ＳＩＭは、データを伝送する間は第２電子機器に無い。本発明による実施例においては、データは、電子機器を通信ネットワークに登録するのに使用する以外の情報を格納するＳＩＭが電子機器にある間に伝送されることが出来る。本発明による実施例においては、データは、電子機器の不揮発性メモリに格納されたデータでありうる。
【００１４】
本発明による実施例においては、データは、接続情報、スケジュール情報、すべきこと情報、電子メール情報、Ｗｅｂ情報、画像情報、音声情報及び映像情報の少なくとも何れか１つでありうる。本発明による実施例においては、データは、ＳＩＭカードの使用されていない格納容量を越える大きさを有する余分のデータでありうる。本発明による実施例においては、電子機器は、単一の移動体セルラ無線電話機でありうる。
【００１５】
本発明による実施例においては、電子機器を無線通信ネットワークに登録するのに使用する情報が格納される取り外し可能な加入者証明モジュール（ＳＩＭ）カードが電子機器に無いときに、プロセッサ回路は、電子機器のメモリからそこからの出力までユーザが選択可能なデータの伝送を許可するように構成される。
【００１６】
本発明による実施例においては、ユーザが選択可能なデータは、少なくとも電子機器に結合されたヘッドフォンに伝送された音声情報及びユーザにより選択された電子機器の表示器に伝送された映像又は画像情報のいずれかでありうる。
【発明の効果】
【００１７】
本発明によれば、新しい無線電話機への機種変更や、現在の無線電話機から新しい無線電話機へ情報を移動する処理を改善される。
【発明を実施するための最良の形態】
【００１８】
以下、本発明の実施例が示された添付の図面を参照して、本発明が詳しく説明される。しかしながら、本発明は多くの異なる形で実施されるものであり、これらの実施例に限定されるものとして解釈されるものではない。むしろ、これらの実施例は、この開示が十分でかつ完成されたものであり、当業者に本発明の請求範囲を十分に伝えるように提供されている。同じ参照符号は、明細書を通じて同じ素子を参照する。
【００１９】
本発明は、移動体セルラ無線電話機、通信ネットワークおよびその動作のフローチャートやブロック図を参照して説明される。当然のことながら、前記のフローチャートおよび／またはブロック図の各ブロックは、コンピュータプログラム命令により組み込まれる。コンピュータプログラム命令は、汎用コンピュータ、特定用途専用コンピュータまたは機械を実現する他のプログラム可能なデータ処理装置のプロセッサに提供され、それで、コンピュータや他のプログラム可能なデータ処理装置のプロセッサを介して実行される命令が、フローチャートおよび／または模式的ブロックまたはブロック群で特定される機能を実施する手段を作り出す。
【００２０】
本発明は、概して、例えば当業者に良く知られている時分割多重アクセス（Time Division Multiple Access:TDMA）型通信を使用したグローバル・スタンダード・フォー・モバイル（Grobal Standard for Mobile:GSM）に適合する無線電話機およびネットワークの内容で説明される。当然のことながら、しかし、本発明は、取り外し可能な加入者証明モジュール（Subscriber Identity Module）カードを使用する他の型式のシステムにも利用できる。当然のことながら、ここで使用されるＳＩＭカードは、フラッシュメモリカード、スマートカードや、他の型式の取り外し可能な不揮発性格納デバイス等、電子機器を無線通信ネットワークに登録するのに使用される情報を格納する各種の取り外し可能なメモリデバイスを含むことが出来る。
【００２１】
ＧＳＭシステムは、従来の周波数多重分割アクセスシステムに採用されている周波数帯を連続する時間スロットに細分化することで、ＴＤＭＡとして実施することが出来る。周波数帯での通信は、複数の時間スロットを含む通常のＴＤＭＡフレームで普通行われるが、各周波数帯での通信は、独特のＴＤＭＡフレームに従ってその帯に独特の時間スロットで行われる。ＴＤＭＡを採用するシステムの例としては、ＥＩＡ−５５３の原周波数帯の各々は３つの時間スロットに細分化された米国において採用されているアナログ／デジタル２方式ＩＳ−５４Ｂ標準、ＧＳＭの進化（EDGE）用に強化されたデータレートのジェネラル・パケット・ラジオ・サービス（GPRS）や、周波数帯の各々を、フレームを定める８つの時間スロット（またはバースト期間）に分割する欧州ＧＳＭ標準がある。
【００２２】
これらのＴＤＭＡシステムにおいては、各ユーザは前記ネットワークでユーザが指定した時間スロットの間に送信されるバーストのデジタルデータを使用して通信することが可能である。ＴＤＭＡ型通信は、’The Mobile Communication Handbook, Jerry D, Gibson, CRC Press, 1996' でさらに説明されている。
【００２３】
本発明による実施例は、ＩＳ−１３６およびＩＳ−９５として標準に適合する進化したデジタルセルラシステム、ＤＥＣＴ（Digital Enhanced Cordless Telephone）のような低電力システム、ＣＤＰＤ（Cellular Digital Packet Data）のようなデータ通信サービス、および広帯域符号分割多重アクセス（WCDMA:Wideband Code Division Multiple Access）やネットワークに登録するための取り外し可能なＳＩＭカードを使用する他のシステムであるＣＤＭＡ２０００のような他のシステムを含んだＰＣＳ（Personal Communication Service）として広く呼ばれる通信ネットワークで実施可能である。
【００２４】
本発明は、衛星通信システムのような宇宙通信システムにも使用することが出来る。宇宙無線通信システムは、図１の通信システムにより実行されると同じ機能を実行するのに採用される。特に、宇宙無線通信システムは、普通、１つまたは１つ以上の地上局と（衛星）電話機との間でリレーまたはトランスポンダとしての役割を果たす１つまたは１つ以上の衛星を含む。衛星は、普通、双方向通信リンクを介して衛星無線電話機および地上局と通信する。各地上局は、また、ＰＳＴＮ１４（および地上波通信ネットワーク１０）に接続され、それにより、衛星無線電話機端末２８、２６と無線電話機２０ａ〜ｄとの間の通信を可能とする。
【００２５】
宇宙無線通信システムは、そのシステムのサービスを受ける全地域をカバーする単一のアンテナビームを利用する、または、宇宙無線通信システムは、宇宙無線通信システムによるサービスを受ける全地域の異なるサブ領域にサービスする多重に重なるまたは重ならないビームを作るように設計される。衛星および各サブ領域は、基地局３０ａ〜ｄおよび通信ネットワーク１０の関連する呼び出し１〜４の機能と同じ機能を果たす。
【００２６】
本発明は、無線電話機に関連して開示されるが、当然のことながら、本発明は、通信ネットワークに登録するための取り外し可能なＳＩＭカードを使用するいずれの電子機器においても実施することが可能である。たとえば、本発明は、複数ラインの表示部の有無に関係なく単一または２モード移動体セルラ無線電話機、セルラ無線電話機とデータ処理、ファクシミリおよびデータ通信機能を組み合わせるＰＣＳ端末、無線電話機、ページャ、カレンダおよび／またはグローバル・ポジショニング・システム（GPS)を含むことが可能なＰＤＡ、および従来のラップトップおよび／またはパームトップ型受信機、または無線電話送受信機を含む他のアプリケーション等、他の機器の間で実施される。
【００２７】
本発明における実施例は、電子機器を通信ネットワークに登録するのに使用される情報を格納する取り外し可能な加入者証明モジュール（ＳＩＭ）カードが電子機器にないとき、電子機器から（へ）のデータの伝送を許可する。加入者は、したがって、現存の無線電話機から新しい無線電話機に、２つのＳＩＭカードを必要とせずに機種変更ができるので、２つの電話機はデータを伝送するように動作する。たとえば、本発明の実施例によれば、加入者は、たとえ無線電話機の１つにＳＩＭカードが無くても、現存の無線電話機から新しい無線電話機にデータを伝送することが可能である。ＳＩＭカードに格納されていない接続情報のようなデータは、したがって、より簡単に新しい電話機に移動される。対照的に、従来のやり方は、従来の無線電話機にＳＩＭのない無線電話機が動作しないように、ＳＩＭのない無線電話機がデータを受信または送信することを許可しない。そのかわり、従来のやり方では、加入者に、ＳＩＭに格納されていないデータを新しい無線電話機に手で入力することを要求する。
【００２８】
図１は、本発明における無線電話機２０ａ〜ｄが使われるＧＳＭ型通信をサポートする無線通信ネットワーク１０を描く。ネットワーク１０は、通常、例えば上記した標準を使用して加入者に音声やデータを提供するために採用される。
【００２９】
当然のことながら、ここで使用される用語’伝送’は、電子機器へ／からのデータを他の電子機器へ／からの送信／受信を含む。さらに当然のことながら、ＳＩＭカードが電子機器に無く、ヘッドフォンを通じて聞けるよう無線電話機が音声ファイルを再生するときに、データの伝送は、データが音声情報の形である、ヘッドフォンとの間のような同じでない電子機器との間で行うことが出来る。
【００３０】
当然のことながら、データの伝送は、無線電話機のメモリから無線電話機の表示部へのユーザの選択可能なデータの伝送を含むことができ、それにより、たとえば、無線電話機は、ＳＩＭカードが電子機器にないときに、画像や映像を視聴するのに使用される。特に、ユーザは、電子機器の表示部に提供されるメニューからユーザの選択可能なデータを、たとえば、選択することにより、伝送されるべき音声又は映像データを選択する。
【００３１】
図１によれば、複数の無線電話機２０ａ−ｄがネットワーク１０及び公衆交換電話ネットワーク（ＰＳＴＮ）１４を介してお互いに、及びターミナル２６、２８のような他のターミナルと通信することが出来る。無線通信ネットワーク１０は、幾何学的な領域に共同でサービスを提供するセル１ー４として編成される。特に、各セルは、ネットワーク１０でカバーされた幾何学的な領域に含まれる関連したサブ領域にサービスを提供することが出来る。多くの、又は少ないセルがネットワーク１０に含まれることが出来、セル１−４のカバー範囲は重なる。セル１−４のそれぞれは、関連する基地局３０ａ−ｄを含む。基地局３０ａ−ｄは、お互いの間で無線通信を提供することが出来、関連する幾何学的な領域にある無線電話機２０ａ−ｄに、無線電話機２０ａ−ｄの間、及び／又はＰＳＴＮ１４のターミナル２６、２８との間の通信を許可する。
【００３２】
基地局３０ａ−ｄのそれぞれは、関連する制御チャンネル２２ａ−ｄを介して無線電話機２０ａ−ｄヘ／からデータを送信／受信出来る。例えば、セル１の基地局３０ａは制御チャンネル２２ａ上で無線電話機２０ａと通信することが出来る。制御チャンネル２２ａは、そこに関連した呼び出しが行われるところで、そこに向けられた呼び出しに応答して無線電話機２０ａを呼び出し、又はトラフィックチャンネル割り当てを無線電話機２０ａに送信するのに使用される。制御チャンネル２２ａ−ｄは、制御チャンネル番号または識別子で識別することが出来る。たとえば、無線電話機２０ａは、制御チャンネル２０ａを現在キャンピングしている制御チャンネルとして識別するチャンネル番号を格納することが出来る。
【００３３】
無線電話機２０ａ−ｄは、たとえば無線電話機の電源がＯＮのとき、ネットワーク１０に登録するように構成される。特に、無線電話機２０ａ−ｄは、ネットワーク１０に登録するのに、それぞれの無線電話機のＳＩＭカードに格納された情報を使用する。無線電話機２０ａ−ｄがネットワーク１０に登録されれば、無線電話機２０ａ−ｄがネットワーク１０からのサービスを受けている幾何学的な領域で動きながら、無線電話機２０ａ−ｄは無線通信ネットワーク１０を介して呼び出しをしたり、呼び出しを受ける等の無線通信ネットワーク１０からのサービスを受けることが出来る。
【００３４】
図２は、本発明における無線電話機２０の実施例を描くブロック図である。図２に描かれるように、無線電話機２０は、アンテナシステム２４６を介してネットワーク１０に対して高周波通信信号を送信し、及び受信するように動作する送受信機回路２４２を含む。アンテナシステム２４６は、アンテナ給電構造及び１つまたは１つ以上のアンテナを含む。当業者には良く知られているように、送受信機２４２の送信部は、無線電話機２０で送信される情報を無線通信に適した電磁信号に変換する。送受信機２４２の受信部は、ネットワーク１０から無線電話機２０で受信した電磁信号を復調し、信号に含まれる情報をユーザの理解できる形式で提供する。
【００３５】
無線電話機２０のユーザインターフェース２４４は、表示部２５４、キーパッド２５２、スピーカ２５６、およびマイクロフォン２５０等多くの部品を含むがこれらの動作は当業者には良く知られているものである。当然のことながら、表示部２５４およびキーパッド２５２の機能は、ユーザがコンピュータで表示可能な文章などの情報を監視でき、そこに入力を提供出来、およびその他無線電話機２０を制御するタッチスクリーンで提供することが出来る。当業者には当然のことながら、コンピュータで表示可能な文章（またはウエブページ）は、たとえば、テキスト、画像、入力フィールド、出力フィールドや多くの他のオブジェクトを含むハイパーテキストでありうる。
【００３６】
プロセッサ回路２５１は、送受信機回路２４２、ユーザインターフェース２４４および他の部品および無線電話機２０に含まれるシステムを介した通信の調整を含んだ無線電話機２０の全体の動作を提供する。たとえば、プロセッサ回路２５１は、ユーザがマイクロフォン２５０に向って話し、スピーカ２５６を介して音声を再生するため送受信機２４２から通信信号を受けるときに、送受信機２４２に通信信号を提供することが出来る。プロセッサ回路２５１は、表示部２５４に表示する文字を発生することが出来る。たとえばプロセッサ回路２５１は、ユーザがキーパッド２５２で電話番号を入力するときに、表示用に数字を発生することが出来る。文字もまた、図示されていない文字発生回路により発生される。
【００３７】
プロセッサ回路２５１は、色々なハードウエアやソフトウエアを使用して実施される。たとえば、プロセッサ回路２５１の動作は、特定用途向け集積回路（ASIC:Application Specific Integrated Circuit）およびゲートアレイ等のプログラム可能な論理デバイス、および／またはマイクロプロセッサ、マイクロコントローラまたはデジタル信号プロセッサ（DSP:Digital Signal Processor）等のコンピューテイングデバイスで動作するソフトウエアまたはファームウエア等の特定用途向けハードウエアを使用して実施される。
【００３８】
プロセッサ回路２５１は、許容可能な制御チャンネルの走査、制御チャンネル（無線電話機２０と通信する基地局との同期の維持を含む）でのキャンピング、音声制御ダイアル（VAD:Voice Activated Dialing）サービス、媒体制御の実施等のデジタル信号処理操作を提供する。無線電話機２０で実施される媒体操作は、単一のファイルまたは収集されたファイルのようなＭＰ３および／またはＭＰＥＧオブジェクトの実行を含む。たとえば、プロセッサ回路２５１は、ＭＰ３でフォーマットされたオブジェクトを伸長し、スピーカ２５６を介して再生することで、またはＭＰＥＧでフォーマットされたオブジェクトを伸長し、表示部２５４に表示することで音声を再生することが出来る。
【００３９】
メモリ２５３は、プロセッサ回路２５１で実行されたとき、そこに記述され、図式で示された動作を行うコンピュータプログラム命令を格納することが出来る。メモリ２５３はまた、本発明の実施例にしたがって、たとえば、’余分の’データがＳＩＭカードの格納容量を超えてしまうために、ＳＩＭカードに格納されていない無線電話機で伝送されたデータを格納することが出来る。メモリ２５３に格納されたデータは、たとえば、接続情報、スケジュール情報、すべきこと情報、電子メール情報、Ｗｅｂ情報、画像情報、音声情報、ビデオ情報等を含むことが出来る。メモリ２５３は、メモリ２５３から電力が取り除かれている間でも格納されたデータを保存出来るＥＥＰＲＯＭ（またはフラッシュメモリ）のような不揮発性メモリである。
【００４０】
無線電話機２９は、取り外し可能なＳＩＭカード２２５を含む。ＳＩＭカード２２５は、ＳＩＭカードホルダに／から挿入（取り外し）により無線電話機２０に装着（取り外し）することが出来る。ＳＩＭカード２２５は、ネットワーク１０の加入者および認証用の秘密鍵を証明する国際移動体加入者証明（IMSI:International Mobile Subscriber Identity）などの情報を格納する。本発明の実施例によれば、ＩＭＳＩは、国を判別する３デジット移動体国コード（MCC:Mobile Country Code）とその国でのネットワークを判別する２デジット移動体ネットワークコード（Mobile Network Code）を含む。当然のことながら、ＳＩＭカード２２５は、ユーザ定義データのような他の型式のデータを格納することが出来る。ＳＩＭカード２２５に格納されたデータは、たとえば公開鍵暗号化標準を使用して暗号化される。
【００４１】
プロセッサ回路２５１は、無線電話機２０をネットワーク１０に登録するのにＳＩＭカード２２５のＩＭＳＩを使用でき、それにより、無線電話機２０はネットワーク１０からのサービスを受けることが出来る。ＳＩＭカード２２５は、個人の機動性を提供出来、それにより、ユーザは、ＳＩＭカード２２５が挿入されている特定の無線電話機にかかわらず、加入したサービスにアクセス出来る。特に、現存する無線電話機からＳＩＭカード２２５を取り外し、新しい無線電話機に挿入することで、ユーザは新しい電話機を介して、呼び出しを受け、呼び出しを行い、そして他の加入したサービスを受けることが出来、それは、現存する無線電話機と比べて改良された性能を有することになる。本発明における実施例においては、ＳＩＭカード２２５は、また、データ格納サービスと同様に無線インターネットに関連するサービス用のインターフェースを提供する無線アプリケーションプロトコル（ＷＡＰ）証明モジュールを含む。
【００４２】
登録回路２１５は、プロセッサ回路２５１と協働して、無線電話機２０のネットワーク１０への登録の機能を実行し、それにより、無線電話機２０はネットワーク１０からのサービスを受けることが可能となる。特に、登録回路２１５は、他の機能の中のＩＭＳＩを、通信チャンネル２３５を通じて通信ネットワーク１０に提供する。当然のことながら、登録回路２１５で提供されるいくつかまたは全ての機能は、たとえば格納されたプログラム命令を実行することで、プロセッサ回路２５１の一部により実施される。
【００４３】
本発明の実施例によれば、もしＳＩＭカード２２５が無線電話機２０になかったら、登録回路２１５は、プロセッサ回路２５１の制御のもとに、無線電話機２０をネットワーク１０に登録しない。本発明の実施例によれば、電子機器を通信ネットワークに登録するのに使用される情報以外の情報を格納するＳＩＭカードが電子機器にある間は、データは伝送することが出来る。当然のことながら、ここで用いられている用語の’に無い’は、ネットワークに登録する以外で無線電話機に使われる情報を参照することが出来る。したがって、本発明による無線電話機は、ＳＩＭカードのダミーが無線電話機にあり、ＳＩＭカードのダミーが無線電話機をネットワーク１０に登録するのに使用される情報を含んでいない場合に提供される。
【００４４】
データ伝送回路２２０は、新しい無線電話機のような他の機器とプロセッサ回路２５１の制御のもとにデータを無線電話機２０から／へ通信リンクを通じて伝送する。たとえば、ＳＩＭカード２２５に格納されたデータまたはメモリ２５３に格納されたデータは、データ伝送回路２２０を介して新しい無線電話機に伝送されることが可能である。データは、通信チャンネル２４０の通信リンクを通じて伝送されることが可能である。当然のことながら、データ伝送回路２２０を介して送信するのに使用される通信チャンネル２４０は、無線電話機２０をネットワーク１０に登録するのに使用される通信チャンネル２３５とは別のものである。
【００４５】
本発明の実施例によれば、当業者にはよく知られている標準の赤外線受信機／送信機回路を使用したデータ伝送回路２２０により通信リンクが確立される。本発明の実施例によれば、通信リンクは、ＩＥＥＥ８０２．１１（ｂ）または（ｇ）インターフェースのようなＩＥＥＥ８０２に準拠したインターフェースを使用したデータ伝送回路２２０により確立される。本発明の実施例によれば、通信リンクは、ユニバーサルシリアルバス（USB:Universal Serial Bus）、音声インターフェースおよび／または無線電話機のメモリと、画面のような無線電話機の他の部品との間の内部電子通路を使用したデータ伝送回路２２０により確立される。他の型式のインターフェースも通信リンクにデータを伝送するのに使用される。
【００４６】
本発明の実施例によれば、通信リンクは、ブルートウース（BluetoothTM）に準拠したインターフェースを使用したデータ伝送回路２２０により確立される。当業者には理解されるように、ブルートウース（BluetoothTM）は低電力消費および低価格構成の比較的堅固な高速無線接続を提供する。ブルートウース（BluetoothTM）技術は、携帯電子機器が近距離アドホックネットワークを介して無線で接続し通信することを可能とする２．４５ＧＨｚ周波数帯における共通無線インターフェースを提供する。ブルートウース（BluetoothTM）技術は、概して、コードレスまたは移動体電話、モデム、ヘッドセット、個人情報端末（PDA:Personal Digital Assistants）、コンピュータ、プリンタ、プロジェクタおよびローカルエリアネットワークとして、機器やシステムとの間の線、ケーブルおよびコネクタを無くすことを目標とする。ブルートウース（BluetoothTM）インターフェースは、Jaap Haartsen を著者とし、「Bluetooth--The Universal radio interface for ad hoc, wireless connectivity」Ericsson Review, No. 3, 1998, と題された文献に説明され、その全部がここに参照される。
【００４７】
当然のことながら、登録回路２１５およびデータ伝送回路２２０は、プロセッサ回路２５１の一部分として実施され、登録回路２１５およびデータ伝送回路２２０により実行される動作は、たとえば、メモリ２５３に格納され、プロセッサ回路２５１により実行されるプログラム命令により実行される。たとえば、データ伝送回路２２０は、プロセッサ回路２５１から分離した回路というよりも、プロセッサ回路２５１の構造の中でポートとして実施される。
【００４８】
図３は、本発明による無線電話機の方法の実施例を描くフローチャートである。特に、図２に示す無線電話機２０に電源が投入され（ブロック３１０）プロセッサ回路２１５にＳＩＭカード２２５が無線電話機２０にあるか無いかを判断させる（ブロック３１５）。もし、プロセッサ回路２５１が、ＳＩＭカード２２５は無線電話機２０にあると判断すれば、プロセッサ回路２５１は登録回路２１５に無線電話機２０をネットワーク１０に登録させる（ブロック３２０）。
【００４９】
もし、プロセッサ回路２５１がＳＩＭカード２２５が無線電話機２９にないと判断するのであれば（ブロック３１５）、プロセッサ回路２５１は、伝送モードが無線電話機２０のために可能とされるかどうかを判断するアプリケーションを起動する（ブロック３２５）。伝送モードは、ＳＩＭカード２２５が無線電話機２０に無いとき、通信チャンネル２４０を通じて、データ伝送回路２２０を介してデータが無線電話機２０へ／から伝送されることを可能とする
プロセッサ回路２５１により実行されるアプリケーションは、伝送モードが、たとえば、ユーザがコードを入力するように促すことで可能とするかどうかを判断するユーザからの入力を要求する（ブロック３２５）。これに応じ、ユーザはたとえば、キーパッド２５２を介してコードを入力する（ブロック３２５）。プロセッサ回路２５１はユーザによるコード入力が正しいか判断する（ブロック３３５）。ユーザにより入力されたコードが正しくなければ、アプリケーションはデータの伝送を阻止し、ユーザに他のコードの入力を促すか、もしくは、動作を終了する。もしユーザに入力されたコードが正しければ、伝送モードは可能とされ、データ伝送回路２２０を介して、無線電話機２０が、無線電話機２０へ／からのデータを伝送することを許可する（ブロック３４０）。ユーザは、データ伝送回路２２０を介してデータの伝送を開始する（ブロック３４５）。本発明による実施例は、したがって、無線電話機２０の少なくとも１つがＳＩＭカード２２０を含まない状況で、現存の無線電話機から新しい無線電話機へデータを移管するのに使用できる。したがって、データは現存の無線電話機２０のメモリ２５３から新しい無線電話機のそれぞれのメモリへ伝送される。さらに、伝送されるデータの量が多くてデータがＳＩＭ２２５に格納できない場合、たとえば、その接続を格納する合計の接続の数がＳＩＭカード２２５の可能な格納量を超えるので、無線電話機に格納された接続の数は、ＳＩＭカードへの格納から排除される。
【００５０】
図４Ａは、図４Ｂに示す現存の無線電話機４２０から新しい無線電話機４２１へデータが伝送されるデータ移管の実施例を描く模式図である。図４に示すように、ＳＩＭカード４２２が現存の無線電話機４２０に含まれ、一方、新しい無線電話機４２１はＳＩＭカードを含んでいない（ブロック４０５）。現存の無線電話機４２０からが新しい無線電話機４２１にデータを伝送するため、新しい無線電話機４２１に電源が投入される（ブロック４１０）。
【００５１】
アプリケーションは新しい無線電話機４２１で開始し、伝送モードが新しい無線電話機４２１で可能とするかどうかの入力を要求する（ブロック４１５）。ユーザは、そこに確立される通信チャンネル４４０を通じて新しい無線電話機４２１が現存の無線電話機４２０からデータを受信するように構成する伝送モードを可能とする正しいコードを入力する（ブロック４２０）。ユーザは、たとえば、現存の無線電話機４２０に含まれるデータ伝送ユテイリテイを使用して、現存の無線電話機４２０から新しい無線電話機４２１にデータへのデータの伝送を始める（ブロック４２５）。ＳＩＭカード４２２は、現存の無線電話機４２０から取外され、新しい無線電話機４２１に挿入され、それにより、現存の無線電話機４２０から新しい無線電話機４２１へのデータ移管が完了する（ブロック４３０）。当然のことながら、図４Ｂのブロックに関連した行為の順序は、他の実施例では異なる。たとえば、本発明の実施例において、現存の無線電話機４２０は新しい無線電話機４２１の前に電源が投入される。
【００５２】
図５Ａは、現存の無線電話機５２０から新しい無線電話機５２１へのデータ移管の実施例を描く模式図である。図５Ｂは、図５Ａに描かれたデータ移管の状況の方法の実施例を描くフローチャートである。図５Ｂに示すように、ＳＩＭ５２２は新しい無線電話機５２１にあるが、一方ＳＩＭカードは現存の無線電話機５２０には無い（ブロック５０５）。ユーザは、現存の無線電話機５２０の電源を投入し（ブロック５１０）、そのとき、アプリケーション（データを伝送する）が起動し、現存の無線電話機５２０において伝送モードを可能とするかどうかの判断を要求する（ブロック５１５）。ユーザは、データ伝送回路を介し、通信チャンネル５４０を通じて現存の無線電話機５２０が新しい無線電話機５２１にデータを伝送させる正しいコードを入力する（５２５）。データは、したがって、現存の無線電話機５２０から新しい無線電話機５２１に伝送される（ブロック５３０）。ＳＩＭカードは、データ移管処理を完了するために新しい無線電話機５２１に残る（ブロック５３５）。当然のことながら、図５に示すブロックに関係する行為の順序は、他の実施例では異なる。たとえば、本発明の実施例においては、既存の無線電話機５２０の前に、新しい無線電話機５２１に電源を投入することが出来る。
【００５３】
図６Ａは、現存する無線電話機６２０および新しい無線電話機６２１のいずれもＳＩＭカードを含まない場合のデータ伝送の実施例を描く模式図である。図６Ｂは、図６に描かれた移管の状況の方法の実施例を描くフローチャートである。図６Ｂに示すように、ＳＩＭは、現存の無線電話機６２０および新しい無線電話機６２０に共に無い（ブロック６０５）。ユーザは新しい無線電話機６２１の電源を投入し（ブロック６１０）、そのときアプリケーションが起動し、そして伝送モードを新しい無線電話機６２１に対し可能とする入力を要求する（ブロック６１５）。ユーザは、伝送モードを可能とし、それぞれの無線電話機のデータ伝送回路を介して、新しい無線電話機６２１が現存の無線電話機６２０からのデータの受信を許可する伝送モードを可能とする正しいコードを入力する（ブロック６２５）。現存の無線電話機６２０は、電源が投入され（ブロック６３０）、そのときそこに入っているアプリケーションが起動し、そして伝送モードを現存の無線電話機６２０に対し可能とするかどうかの入力を要求する（ブロック６３５）。ユーザは、伝送モードを可能とし、現存の無線電話機６２０から新しい無線電話機６２１へのデータの伝送を許可する正しいコードを入力し（ブロック６４５）、そのとき、データは現存の無線電話機６２０から新しい無線電話機６２１に伝送される（ブロック６５０）。当然のことながら、図６Ｂのブロックに関係した行為の命令は、実施例により異なるものとすることが出来る。たとえば、本発明による、ある実施例においては、無線電話機の電源を投入する命令は、上記と反対のものとすることが可能である。
【００５４】
図７Ａは、汎用パーソナルコンピュータ（ＰＣ）７７０を介して、現存の無線電話機７２０から新しい無線電話機７２１へのデータ移管の実施例を描く模式図である。特に、ＰＣ７７０は、無線電話機の間のデータの伝送を提供することが出来る。従って、本発明のコンピュータプログラム製品は、ＰＣ７７０上で稼動するように構成され、ＳＩＭカードがそこに無く、新しい現存の無線電話機７２１にある場合に、無線電話機７２０からデータを伝送するように構成される。
【００５５】
図７Ｂは、汎用パーソナルコンピュータ（ＰＣ７７０）を介して現存の無線電話機７２０から新しい無線電話機７２１へのデータ移管の実施例を描く模式図である。特に、ＰＣ７７０は、ＰＣ７７０を介して現存の無線電話機７２０から新しい無線電話機７２１へのデータの伝送を提供するが、ここでは、ＳＩＭカード７２２は現存の無線電話機７２０にあり、新しい無線電話機７２１にはない。
【００５６】
図７Ｃは、図７Ａに示したデータ移管の方法の実施例を描くフローチャートである。う７Ｃに示すように、ＳＩＭカード７２２は新しい無線電話機７２１にあり、現存の無線電話機７２０にはない（ブロック７０５）。現存の無線電話機７２０は、電源が投入され（ブロック７１０）、そのときそこに入っているアプリケーションが起動し、そして伝送モードを現存の無線電話機７２０に対し可能とするかどうかの入力を要求する（ブロック７１５）。ユーザは、伝送モードを可能とし、現存の無線電話機７２０からＰＣ７７０へのデータの伝送を許可する正しいコードを入力する（ブロック７２５）。データは、ＰＣ７７０上で稼動するコンピュータプログラムを使用して、現存の無線電話機７２０からＰＣ７７０に伝送され（ブロック７３０）、その後新しい無線電話機７２１に伝送される（ブロック７３５）。
【００５７】
ＰＣ７７０は、広い範囲のアプリケーションソフトウエアを稼動させることが可能な汎用パーソナルコンピュータであり、ＣＰＵ、メモリ、ネットワーク通信デバイス、ハードデイスクドライブ、キーパッド、モニタ、およびパーソナルコンピュータに共通にある他のハードウエアおよびソフトウエア部品からなる。たとえば、ＰＣ７７０は、インテルが販売するペンテイアムマイクロプロセッサを使用し、マイクロソフトが販売するウィンドウズ（登録商標）オペレーテイングシステムを稼動させることで実施される。
【００５８】
図８は、無線電話機８２０から無線電話機８２０のヘッドフォン８３０および／または表示部８２５へのデータの伝送を描く模式図である。本発明の実施例によれば、無線電話機８２０を通信ネットワークに登録するのに使用するＳＩＭカードは無線電話機８２０にない。図８によれば、ユーザは、ＳＩＭカードがないときに無線電話機８２０のメモリに格納された音声または映像データにアクセスする。特に、データは、無線電話機８２０からヘッドフォン８３０へ音声インターフェースを通じて伝送することが出来る。さらに、本発明によるある実施例では、ＳＩＭカードがそこにないときに、無線電話機８２０のメモリに格納されたデータは、無線電話機のメモリから表示部８２５へ伝送することが出来る。したがって、ＳＩＭカードがそこにないときに、ユーザは無線電話機のメモリに格納された選択可能な画像および／または映像データを視聴することが出来る。
【００５９】
上述したように、本発明による実施例は、電子機器を通信ネットワークに登録するのに使用する情報を格納する、取り外し可能な加入者証明モジュール（ＳＩＭ）が電子機器にないときに、データを電子機器から／へ伝送することを可能にする。加入者は、したがって、２つのＳＩＭカードを必要とすることなしに、現存の無線電話機から新しい無線電話機に機種変更を行い、２つの無線電話機はデータを伝送するように動作する。たとえば、本発明の実施例によれば、たとえ、無線電話機の１つ（または、両方）がＳＩＭカードを有さなくても、加入者は、現存の無線電話機から新しい無線電話機にデータを伝送することが可能である。したがって、ＳＩＭカードに格納されていない接続情報のようなデータは、非常に簡単に新しい無線電話機に移管される。
【図面の簡単な説明】
【００６０】
【図１】本発明による移動体セルラ無線電話機の実施例を使用する無線通信ネットワークを描くブロック図を示す。
【図２】本発明による移動体セルラ無線電話機の実施例を描くブロック図を示す。
【図３】本発明による移動体セルラ無線電話機の方法の実施例を描くフローチャートを示す。
【図４Ａ】、
【図５Ａ】、
【図６Ａ】、
【図７Ａ】、
【図７Ｂ】、
【図８】本発明によるデータ伝送の実施例を描く模式図を示す。
【図４Ｂ】、
【図５Ｂ】、
【図６Ｂ】、
【図７Ｃ】本発明による移動体セルラ無線電話機の方法の実施例を描くフローチャートを示す。
【図１】
2007507129.tif 000003
【図２】
2007507129.tif 000004
【図３】
2007507129.tif 000005
2007507129.tif 000006
2007507129.tif 000007
2007507129.tif 000008
2007507129.tif 000009
2007507129.tif 000010
2007507129.tif 000011
【図８】
2007507129.tif 000012
【手続補正書】
【提出日】平成17年10月14日(2005.10.14)
【手続補正１】
【補正対象書類名】特許請求の範囲
【補正対象項目名】全文
【補正方法】変更
【補正の内容】
【特許請求の範囲】
【請求項１】
無線通信ネットワークに電子機器を登録するのに使用する情報が格納された取り外し可能な加入者証明モジュール（ＳＩＭ）が電子機器にないことを判断する工程と、前記通信ネットワークに前記電子機器を登録するのに使用する第２通信チャンネルとは別の第１通信チャンネルを確立するする工程を備える電子機器からデータを伝送する方法であって、
前記ＳＩＭが前記電子機器にない間に、ユーザデータ伝送モードが、前記電子機器を前記ネットワークに登録するのに使用する情報を含まないものとして定義されるユーザデータの伝送の許可を有効とされるかを判断する工程と、
前記第１通信チャンネルを使用して前記電子機器からユーザデータを伝送する工程と、を備える電子機器からデータを伝送する方法。
【請求項２】
前記伝送モードが有効とされるときはデータを伝送し、ユーザデータ伝送モードが無効とされるときはデータの伝送を阻止する工程をさらに備える請求項１に記載の方法。
【請求項３】
前記ユーザデータ伝送モードが有効とされるかを判断する工程は、
前記電子機器への入力を要求する工程と、
前記電子機器に関連した入力機器を介して前記電子機器への入力を受信する工程と、
前記受信した入力がユーザデータ伝送モードを有効とするかを判断する工程をさらに備える請求項１又は２に記載の方法。
【請求項４】
前記第１通信チャンネルは、
赤外線通信リンク、ブルートウース通信リンク、USBインターフェース、およびIEEE 802.11通信リンクの、少なくとも何れか１つを介して引き継がれる請求項１、２又は３の何れか１項に記載の方法。
【請求項５】
前記電子機器は、
前記通信ネットワークに適合したグローバル・システム・フォー・モバイル・コミュニケーションズ（ＧＳＭ）に登録するように構成された移動体セルラ電話機を備える請求項１に記載の方法。
【請求項６】
前記電子機器は第１電子機器を備え、
前記方法は、前記第１電子機器において前記ＳＩＭがないことを判断する工程と、
前記ＳＩＭがない間に、前記第１電子機器がデータの伝送を第２電子機器へ伝送を許可するユーザデータ伝送モードが有効とされるかを判断する工程と、
前記ユーザデータ伝送モードが前記第１電子機器に有効とされる判断の工程に応答して、前記第１電子機器からユーザデータを伝送する工程をさらに備える請求項１に記載の方法。
【請求項７】
ユーザデータを伝送している間は、前記第２電子機器を前記通信ネットワークに登録するのに使用する情報を格納する第２ＳＩＭは、第２通信機器にない請求項６に記載の方法。
【請求項８】
前記電子機器を前記通信ネットワークに登録するのに使用する情報以外の情報を格納するＳＩＭが前記電子機器にあるときに、前記ユーザデータを伝送する工程をさらに備える請求項１に記載の方法。
【請求項９】
前記ユーザデータは、
前記電子機器の不揮発性メモリに格納されたデータを備える請求項１に記載の方法。
【請求項１０】
前記ユーザデータは、
接続情報、スケジュール情報、すべきこと情報、電子メール情報、Ｗｅｂ情報、画像情報、音声情報、および映像情報の少なくとも何れか１つを備える請求項９に記載の方法。
【請求項１１】
前記ユーザデータは、
前記ＳＩＭの使われていない格納容量を越えるサイズを有する余分のデータを備える請求項９に記載の方法。
【請求項１２】
前記電子機器は、単一の移動体セルラ無線電話機を備える請求項１に記載の方法。
【請求項１３】
無線通信ネットワークに電子機器を登録するのに使用する情報が格納された、取り外し可能な加入者証明モジュール（ＳＩＭ）が電子機器にないときに、電子機器に格納されたデータの伝送を許可するように構成されたプロセッサ回路と、
前記ＳＩＭがあると判断する前記プロセッサ回路に応答して前記電子機器を前記通信ネットワークに登録するように構成された登録回路と、を備え、
前記プロセッサ回路は、前記ＳＩＭが前記電子機器にあるかないかを判断するように構成され、
前記電子機器は、
前記ＳＩＭがない、およびユーザデータ伝送モードが前記ＳＩＭがない間にユーザデータの伝送の許可を有効とすると判断する前記プロセッサ回路に応答して、ユーザデータを前記電子機器から伝送するように構成されたデータ伝送回路と、をさらに備え、
前記プロセッサ回路は、前記電子機器を前記通信ネットワークに登録するのに使用する第２通信チャンネルとは別の第１通信チャンネルを使用してデータを伝送するように構成され、
前記ユーダデータは、前記無線電話機を前記ネットワークに登録するのに使用する情報に含まれないものとして定義される、データを伝送する電子機器。
【請求項１４】
前記プロセッサ回路は、
前記ＳＩＭがなく、ユーザデータ伝送モードが有効とされているとき、ユーザデータの伝送を許可するように構成され、前記ユーザデータ伝送モードが無効とされるとき、ユーザデータの伝送を阻止するようさらに構成されている請求項１３に記載の電子機器。
【請求項１５】
前記プロセッサ回路は、
入力を要求し、
電子機器に関連した入力機器を介して入力を受信し、
前記受信した入力がユーザデータ伝送モードを有効とするかを判断するように構成された請求項１３に記載の電子機器。
【請求項１６】
前記登録回路は、前記第１通信チャンネルとは別の第２通信チャンネルを使用して前記電子機器を前記通信ネットワークに登録するように構成された請求項１３に記載の電子機器。
【請求項１７】
前記第１通信チャンネルは、赤外線通信リンク、ブルートウース通信リンク、USBインターフェース、およびIEEE 802.11通信リンクの、少なくとも何れか１つを介して引き継がれる請求項１３、１４、１５又は１６の何れか１項に記載の電子機器。
【請求項１８】
前記電子機器は、前記通信ネットワークに適合したグローバル・システム・フォー・モバイル・コミュニケーションズ（ＧＳＭ）に登録するように構成された移動体セルラ電話機を備える請求項１３に記載の電子機器。
【請求項１９】
前記電子機器は第１電子機器を備え、
前記プロセッサ回路は、
前記第１電子機器において前記ＳＩＭがないことを判断し、
前記ＳＩＭがない間に、前記第１電子機器がユーザデータの伝送を第２電子機器への伝送を許可する伝送モードが有効かを判断し、
前記ユーザデータ伝送モードが前記第１電子機器で有効であるとした判断に応答して、前記第１電子機器からユーザデータを伝送するようにさらに構成された請求項１３に記載の電子機器。
【請求項２０】
前記第２電子機器を前記通信ネットワークに登録するのに使用する情報を格納する第２ＳＩＭは、前記第２通信機器にない請求項１９に記載の電子機器。
【請求項２１】
前記プロセッサ回路は、前記電子機器を前記通信ネットワークに登録するのに用いられる情報以外の情報を格納するＳＩＭが前記電子機器にあるときに、前記ユーザデータの伝送を許可するようにさらに構成された請求項１３に記載の電子機器。
【請求項２２】
前記ユーザデータを前記ＳＩＭ以外に格納する不揮発性メモリをさらに備える請求項１３に記載の電子機器。
【請求項２３】
前記余分のユーザデータは、
接続情報、スケジュール情報、すべきこと情報、電子メール情報、Ｗｅｂ情報、画像情報、音声情報、および映像情報の少なくとも何れか１つを備える請求項２２に記載の電子機器。
【請求項２４】
前記余分のユーザデータは、
前記ＳＩＭの使われていない格納容量を越えるサイズを有する余分のデータを備える請求項２２に記載の電子機器。
【請求項２５】
前記電子機器は、単一の移動体セルラ無線電話機を備える請求項１３に記載の電子機器。
【請求項２６】
無線通信ネットワークに電子機器を登録するために使用される情報が格納された、取り外し可能な加入者証明モジュール（ＳＩＭ）が電子機器にないときに、電子機器のメモリからのユーザが選択可能なデータの出力の伝送を許可するように構成されたプロセッサ回路を備えるデータを伝送する電子機器。
【請求項２７】
前記ユーザが選択可能なデータは、前記電子機器に結合されたヘッドフォンに伝送された音声情報、またはユーザに選択され、前記電子機器の表示部に伝送された映像または画像データの何れか１つを備える請求項２６に記載の電子機器。
【請求項２８】
そこに備えられるコンピュータ可読プログラムコードを有する、コンピュータ可読記録媒体を備え、
前記コンピュータ可読プログラムコードは、
無線通信ネットワークに電子機器を登録するために使用される情報が格納された、取り外し可能な加入者証明モジュール（ＳＩＭ）が電子機器にないときに、電子機器からユーザデータを伝送するように構成されたコンピュータ可読プログラムコードを備え、
前記電子機器を前記通信ネットワークに登録するのに使用される第２通信チャンネルとは別の第１通信チャンネルが確立されるとき、ユーザデータの伝送に前記第１通信チャンネルを使用し、前記ユーダデータは、前記無線電話機を前記ネットワークに登録するのに使用する情報に含まれないものとして定義される、データを電子機器から伝送するコンピュータプログラム製品。
【国際調査報告】
2007507129.tif 000013
2007507129.tif 000014
2007507129.tif 000015
2007507129.tif 000016
2007507129.tif 000017